(57)【要約】【課題】従来よりも効率的に除霜を行うことが可能な技術を提供する。【解決手段】本明細書が開示するヒートポンプ装置は、空気と冷媒の間で熱交換する蒸発器と、冷媒を加圧する圧縮機と、冷媒と被加熱流体の間で熱交換する凝縮器と、冷媒を減圧する膨張弁と、蒸発器、圧縮機、凝縮器、膨張弁の順に冷媒を循環させる冷媒経路と、凝縮器から膨張弁に至る冷媒経路の区間と、膨張弁から蒸発器に至る冷媒経路の区間とを、膨張弁を介することなく互いに接続する除霜経路と、除霜経路を開閉する除霜弁とを備える。このヒートポンプでは、加熱運転から除霜運転に切り替える際に、圧縮機を運転させた状態で、除霜弁を閉じた状態から開いた状態に切り替える。【選択図】図１
2015021643.tif 000002
【特許請求の範囲】
【請求項１】
空気と冷媒の間で熱交換する蒸発器と、
冷媒を加圧する圧縮機と、
冷媒と被加熱流体の間で熱交換する凝縮器と、
冷媒を減圧する膨張弁と、
蒸発器、圧縮機、凝縮器、膨張弁の順に冷媒を循環させる冷媒経路と、
凝縮器から膨張弁に至る冷媒経路の区間と、膨張弁から蒸発器に至る冷媒経路の区間とを、膨張弁を介することなく互いに接続する除霜経路と、
除霜経路を開閉する除霜弁と、
を備え、
除霜弁を閉じた状態で圧縮機を運転させることによって、圧縮機から流出した冷媒を凝縮器及び膨張弁を順に経由させて蒸発器に流入させる加熱運転と、除霜弁を開いた状態で圧縮機を運転させることによって、圧縮機から流出した冷媒を、凝縮器及び除霜経路を順に経由させて蒸発器へ流入させる除霜運転とを実施可能であり、
加熱運転から除霜運転に切り替える際に、圧縮機を運転させた状態で、除霜弁を閉じた状態から開いた状態に切り替える、
ヒートポンプ装置。
【請求項２】
除霜運転から加熱運転に切り替える際に、膨張弁が開かれ、圧縮機を運転させた状態で、除霜弁を開いた状態から閉じた状態に切り替える、請求項１のヒートポンプ装置。
【請求項３】
所定の加熱運転の終了条件を満たす場合に加熱運転を終了するとともに、除霜運転に切り替える、請求項１又は２のヒートポンプ装置。
【発明の詳細な説明】
【技術分野】
【０００１】
本明細書で開示する技術は、ヒートポンプ装置に関する。
【背景技術】
【０００２】
特許文献１には、空気と冷媒の間で熱交換する蒸発器と、冷媒を加圧する圧縮機と、冷媒と水の間で熱交換する凝縮器と、冷媒を減圧する膨張弁と、蒸発器、圧縮機、凝縮器、膨張弁の順に冷媒を循環させる冷媒経路と、圧縮機から凝縮器に至る冷媒経路の区間と膨張弁から蒸発器に至る冷媒経路の区間とを接続するバイパス路と、バイパス路を開閉するバイパス弁と、凝縮器で加熱された水（温水）を貯留するタンクとを備えるヒートポンプ式給湯装置が開示されている。
【０００３】
特許文献１のヒートポンプ式給湯装置は、バイパス弁を閉じた状態で圧縮機を運転することによって、圧縮機から流出した冷媒を凝縮器及び膨張弁を順に経由させて蒸発器に流入させる加熱運転を行う。また、加熱運転中に、蒸発器の温度が所定の基準温度より低くなる場合、膨張弁を閉じ、バイパス弁を開いた状態で圧縮機を運転させる除霜運転を行う。除霜運転では、圧縮機から流出した高温の冷媒を、バイパス路を通過させ、凝縮器及び膨張弁を経由させることなく蒸発器に直接的に流入させる。加熱運転時に比べて高温の冷媒が蒸発器に流入することにより、蒸発器に付着した霜が除去される。
【先行技術文献】
【特許文献】
【０００４】
【特許文献１】特開２００１−２６３８００号公報
【発明の概要】
【発明が解決しようとする課題】
【０００５】
特許文献１のヒートポンプ式給湯装置では、加熱運転中はバイパス路内を冷媒が流れない。そのため、特に冬季等の外気温が低い状況では、加熱運転中にバイパス路が冷える場合がある。そのような場合に、加熱運転から除霜運転に切り替えると、圧縮機から流出した高温の冷媒の温度が、バイパス路内を通過する間に低下してしまう。その結果、除霜運転を開始してからバイパス路が温まるまでの間、高温の冷媒が蒸発器に流入されず、効率的に除霜を行うことができない場合がある。
【０００６】
本明細書では、従来よりも効率的に除霜を行うことが可能な技術を提供する。
【課題を解決するための手段】
【０００７】
本明細書が開示するヒートポンプ装置は、空気と冷媒の間で熱交換する蒸発器と、冷媒を加圧する圧縮機と、冷媒と被加熱流体の間で熱交換する凝縮器と、冷媒を減圧する膨張弁と、蒸発器、圧縮機、凝縮器、膨張弁の順に冷媒を循環させる冷媒経路と、凝縮器から膨張弁に至る冷媒経路の区間と、膨張弁から蒸発器に至る冷媒経路の区間とを、膨張弁を介することなく互いに接続する除霜経路と、除霜経路を開閉する除霜弁とを備える。そのヒートポンプ装置は、除霜弁を閉じた状態で圧縮機を運転させることによって、圧縮機から流出した冷媒を凝縮器及び膨張弁を順に経由させて蒸発器に流入させる加熱運転と、除霜弁を開いた状態で圧縮機を運転させることによって、圧縮機から流出した冷媒を、凝縮器及び除霜経路を順に経由させて蒸発器へ流入させる除霜運転とを実施可能であり、加熱運転から除霜運転に切り替える際に、圧縮機を運転させた状態で、除霜弁を閉じた状態から開いた状態に切り替える。
【０００８】
上記のヒートポンプ装置では、加熱運転から除霜運転に切り替える際に、圧縮機を運転させた状態で、除霜弁を閉じた状態から開いた状態に切り替える。そのため、加熱運転から除霜運転に切り替える際に、圧縮機を一度停止して再起動させる必要がない。そのため、加熱運転から除霜運転に切り替える際に冷媒温度が低下することを抑制することができる。また、圧縮機の再起動時に必要な電力消費を抑制することもできる。
【０００９】
さらに、上記のヒートポンプ装置では、加熱運転の終了時点では、凝縮器から膨張弁に至る冷媒経路の区間及び凝縮器内が、加熱運転中に流れていた高温の冷媒によって高温に保たれている。上記のヒートポンプ装置は、加熱運転から除霜運転に切り替えられると、圧縮機から流出した冷媒は、凝縮器及び除霜経路を順に経由して蒸発器へ流入する。圧縮機から流出させた高温の冷媒を、加熱運転中に温められていた経路を経由して蒸発器に流入させることができる。そのため、除霜運転時に圧縮機から流出された冷媒を、圧縮機から凝縮器に至る冷媒経路の区間と膨張弁から蒸発器に至る冷媒経路の区間とを接続するバイパス路を経由して蒸発器に供給する従来の構成と比べて、除霜運転の開始後に冷媒の温度が低下することを抑制することができる。除霜運転の開始直後から、比較的高温の冷媒を蒸発器に流入させて除霜を行うことができるため、従来よりも効率的に除霜を行うことができる。
【図面の簡単な説明】
【００１０】
【図１】実施例の給湯装置１０の構成を模式的に示す図。
【図２】コントローラ７０が実行する処理を示すフローチャート。
【発明を実施するための形態】
【００１１】
以下に説明する実施例の主要な特徴を列記しておく。なお、以下に記載する技術要素は、それぞれ独立した技術要素であって、単独であるいは各種の組合せによって技術的有用性を発揮するものであり、出願時請求項記載の組合せに限定されるものではない。
【００１２】
（特徴１）ヒートポンプ装置は、除霜運転から加熱運転に切り替える際に、膨張弁が開かれ、圧縮機を運転させた状態で、除霜弁を開いた状態から閉じた状態に切り替えることが好ましい。
【００１３】
万が一、膨張弁を閉じたまま除霜弁を閉じてしまうと、冷媒経路を循環する冷媒の圧力が急上昇してしまうおそれがある。この点、上記の構成によると、膨張弁を開いておいた上で、除霜弁を閉じることができるため、除霜運転から加熱運転に切り替える際に、冷媒経路を循環する冷媒の圧力が急激に上昇することを抑制することができる。そのため、除霜運転から加熱運転に切り替える際に圧縮機を一度停止して再起動させる必要もなく、除霜運転から加熱運転に切り替える際に冷媒温度が低下することを抑制することができる。また、圧縮機の再起動時に必要な電力消費を抑制することもできる。なお、「膨張弁が開かれ」る状態には、開いた状態の膨張弁の開度をそのまま維持すること、膨張弁の開度を閉じた状態から開くこと、膨張弁の開度が小さい状態から大きい状態に変化させること、のいずれも含まれる。
【００１４】
（特徴２）ヒートポンプ装置は、所定の加熱運転の終了条件を満たす場合に加熱運転を終了するとともに、除霜運転に切り替えることが好ましい。
【００１５】
上記の構成によると、ヒートポンプ装置は、加熱運転の終了後に毎回除霜運転を行うことができる。そのため、次回の加熱運転を行う場合、除霜済みの蒸発器を用いて効率の良い加熱運転を行うことができる。従って、加熱運転を毎回効率良く行うことができる。また、上記の構成によると、除霜運転の開始時に、圧縮機から流出させた高温の冷媒を、加熱運転中に温められていた経路を経由して蒸発器に流入させることができるため、効率良く除霜を行うこともできる。
【００１６】
（実施例）
図１に示す本実施例の給湯装置１０は、カラン（図示せず）や浴槽といった給湯箇所へ温水を供給する装置である。図１に示すように、給湯装置１０は、温水を貯める貯湯タンク１８と、貯湯タンク１８の温水を循環加熱するヒートポンプ３０と、補助熱源であるガス熱源機１２を備えている。なお、給湯装置１０は、貯湯タンク１８に貯めた温水の熱を暖房にも利用する給湯暖房装置であってもよい。また、給湯装置１０は、貯湯タンク１８を必ずしも有する必要はなく、ヒートポンプ３０で加熱した温水を給湯箇所（あるいは暖房箇所）へ直接的に供給するものであってもよい。
【００１７】
貯湯タンク１８には、給水管１６と出湯管１４が接続されている。図示省略するが、貯湯タンク１８には、複数の温度センサが高さ方向に沿って配置されている。貯湯タンク１８に配置されている各温度センサは、後述のヒートポンプ３０のコントローラ７０に接続されている。コントローラ７０は、各温度センサの検出結果に基づいて、貯湯タンク１８内の温水温度及び温水量（即ち熱量）を把握することができる。給水管１６は、貯湯タンク１８へ上水を供給する管路である。給水管１６は、貯湯タンク１８の底部に接続されている。図示省略するが、給水管１６には、各種のセンサや弁などが設けられている。出湯管１４は、貯湯タンク１８から給湯箇所へ温水を送る管路である。出湯管１４は、貯湯タンク１８の上部に接続されている。図示省略するが、出湯管１４にも、各種のセンサや弁などが設けられている。
【００１８】
ガス熱源機１２は、出湯管１４の経路上に設けられている。ガス熱源機１２は、貯湯タンク１８からの温水の温度が、必要とされる温度を下回るときに、燃料ガスを燃焼することによって当該温水を加熱することができる。それにより、給湯装置１０は、大量又は高温の給湯要求があり、貯湯タンク１８の温水量及び温水温度では不十分である場合に、ガス熱源機１２を稼働させることによって、不足する熱量を補うことができる。あるいは、外気温が極めて低いときなど、ヒートポンプ３０の能力が著しく低下する場合でも、ガス熱源機１２を稼働させることによって、必要とされる給湯を行うことができる。
【００１９】
ヒートポンプ３０は、大気から採熱して水を加熱するヒートポンプである。ヒートポンプ３０は、加熱往路２２と加熱復路２０を通じて、貯湯タンク１８に接続されている。加熱往路２２は、貯湯タンク１８内の水を、ヒートポンプ３０に送る管路である。加熱復路２０は、ヒートポンプ３０で加熱された温水を、貯湯タンク１８へ戻す管路である。加熱往路２２と加熱復路２０は一連に接続されており、貯湯タンク１８とヒートポンプ３０との間で水を循環させる循環経路を構成している。加熱往路２２には、循環ポンプ６０が設けられている。循環ポンプ６０は、後述するヒートポンプ３０のコントローラ７０によって制御される。図示省略するが、加熱往路２２及び加熱復路２０には、各種のセンサや弁などが設けられている。
【００２０】
ヒートポンプ３０は、蒸発器３２と、圧縮機３４と、凝縮器３６と、膨張弁３８とを備えている。蒸発器３２と圧縮機３４と凝縮器３６と膨張弁３８の間は、冷媒経路４２、４４、４６、４８によって順に接続されており、冷媒を循環させる循環経路が構成されている。また、ヒートポンプ３０は、各部の動作を制御するコントローラ７０を備えている。
【００２１】
蒸発器３２は、空気中の熱を冷媒に吸熱させる熱交換器である。蒸発器３２には、室外ファン５４によって送風が行われる。室外ファン５４は、ファンモータ５６によって駆動される。蒸発器３２では、膨張弁３８を通過したミスト状の冷媒が、空気中の熱を吸収して蒸発する。一例ではあるが、本実施例では、冷媒として二酸化炭素を採用している。ただし、冷媒の種類については特に限定されない。ファンモータ５６は、コントローラ７０へ電気的に接続されており、その動作、即ち、室外ファン５４の動作が、コントローラ７０によって制御される。また、蒸発器３２には、蒸発器３２の温度を測定する蒸発器温度センサ５７が備えられている。さらに、蒸発器３２の近傍には、外気温を測定する外気温センサ５８も備えられている。蒸発器温度センサ５７及び外気温センサ５８も、コントローラ７０へ電気的に接続されている。
【００２２】
圧縮機３４は、蒸発器３２の出口側に接続されており、蒸発器３２からの冷媒を圧縮する。蒸発器３２で気化した冷媒は、圧縮されることによって、高温高圧の状態になる。圧縮機３４の構造、方式については、特に限定されない。圧縮機３４はコントローラ７０へ電気的に接続されており、圧縮機３４の動作はコントローラ７０によって制御される。
【００２３】
凝縮器３６は、圧縮機３４の出口側に接続されている。凝縮器３６は、冷媒と水との間で熱交換を行う熱交換器である。凝縮器３６には、加熱往路２２を通じて、貯湯タンク１８の水が送られる。凝縮器３６では、圧縮機３４からの冷媒が凝縮しながら放熱し、その放熱によって貯湯タンク１８からの水が加熱される。加熱後の水は、加熱復路２０を通じて、貯湯タンク１８に戻される。それにより、貯湯タンク１８に温水が貯められる。
【００２４】
膨張弁３８は、凝縮器３６の出口側に接続されている。本実施例の膨張弁３８は、一例ではあるが、その開度を電気的に調整可能な電子膨張弁である。膨張弁３８はコントローラ７０へ電気的に接続されており、膨張弁３８の動作はコントローラ７０によって制御される。凝縮器３６からの冷媒は、膨張弁３８を通過することによって、急速に膨張する（ミスト状になる）。膨張弁３８の出口側は、蒸発器３２の入口側に接続されており、低温低圧となった（ミスト状の）冷媒が蒸発器３２に送られる。蒸発器３２では、前述のとおり、大気から採熱することによって冷媒が気化される。以上の冷凍サイクルにより、ヒートポンプ３０は、大気の熱を利用して貯湯タンク１８内の水を加熱することができる。
【００２５】
ヒートポンプ３０では、上記した冷凍サイクルの結果、蒸発器３２に霜が付着することがある。蒸発器３２への着霜は、ヒートポンプ３０の熱効率を有意に低下させる。そのことから、本実施例のヒートポンプ３０では、除霜経路５０と除霜弁５２が付加されている。
【００２６】
除霜経路５０は、凝縮器３６の出口側を、膨張弁３８をバイパスして、蒸発器３２の入口側に接続する冷媒の経路である。除霜経路５０の上流端は、凝縮器３６と膨張弁３８を接続する冷媒経路の区間４６に接続されており、除霜経路５０の下流端は、膨張弁３８と蒸発器３２を接続する冷媒経路の区間４８に接続されている。除霜弁５２は、除霜経路５０上に設けられており、除霜経路５０を開通／閉鎖するための開閉弁である。除霜弁５２は、その開閉を電気的に制御可能な電子制御弁である。除霜弁５２は、コントローラ７０へ電気的に接続されており、除霜弁５２の動作はコントローラ７０によって制御される。
【００２７】
コントローラ７０は、圧縮機３４、ファンモータ５６、膨張弁３８、除霜弁５２、循環ポンプ６０を制御することによって、貯湯タンク１８に温水を貯めるための沸き上げ運転と、蒸発器３２に付着した霜を除去するための除霜運転とを実行する。コントローラ７０が実行する処理、及び、沸き上げ運転と除霜運転の各内容については後で詳しく説明する。
【００２８】
（コントローラ７０が実行する処理）
次いで、図２を参照して、本実施例のコントローラ７０が実行する処理について説明する。給湯装置１０の運転が開始されると、Ｓ１０において、コントローラ７０は、沸き上げ運転を開始するタイミングが到来することを監視する。例えば、予め予約された給湯時刻までに貯湯タンク１８内に設定温度の温水を貯めるために、給湯時刻より所定時間（例えば３０分）前に沸き上げ運転を開始する必要がある場合、給湯時刻より所定時間前の時刻が到来すると、コントローラ７０は、Ｓ１０でＹＥＳと判断し、Ｓ１２に進む。一方、Ｓ１０でＮＯの場合には監視を継続する。なお、他の例では、コントローラ７０は、ユーザによって沸き上げ指示が入力された場合に、Ｓ１０でＹＥＳと判断してもよい。
【００２９】
Ｓ１２では、コントローラ７０は、沸き上げ運転を開始する。具体的には、Ｓ１２では、コントローラ７０は、膨張弁３８を開き、除霜弁５２を閉じた状態で、圧縮機３４、ファンモータ５６、及び、循環ポンプ６０を作動させる。これにより、圧縮機３４、凝縮器３６、膨張弁３８、蒸発器３２の順に冷媒が循環する。上記の通り、圧縮機３４から流出し、凝縮器３６に流入する冷媒は、高温高圧の気体状態である。また、循環ポンプ６０が作動することにより、貯湯タンク１８内の水が、加熱往路２２を通じて、凝縮器３６内に送られる。凝縮器３６では、圧縮機３４からの冷媒が凝縮しながら放熱し、その放熱によって貯湯タンク１８からの水が加熱される。加熱後の水は、加熱復路２０を通じて、貯湯タンク１８の上部に戻される。それにより、貯湯タンク１８に温水が貯められる。貯湯タンク１８の上部には、高温の水の層が形成され、下部には、低温の水の層が形成される。Ｓ１２で沸き上げ運転を開始すると、コントローラ７０は、Ｓ１４、Ｓ１６の各監視を同時に行う。
【００３０】
Ｓ１４では、コントローラ７０は、沸き上げが終了することを監視する。Ｓ１４では、コントローラ７０は、貯湯タンク１８に設置された複数の温度センサの検出温度に基づいて、貯湯タンク１８が設定温度の温水で満たされる状態（いわゆる満蓄状態）になることを監視する。貯湯タンク１８が設定温度の温水で満たされる状態になると、コントローラ７０は、Ｓ１４でＹＥＳと判断し（即ち、沸き上げが終了したと判断し）、Ｓ２０に進む。なお、他の例では、コントローラ７０は、貯湯タンク１８内に、設定温度の温水が予め設定された量だけ貯められた場合に、Ｓ１４でＹＥＳと判断してもよい。一方、Ｓ１４でＮＯの場合には、Ｓ１４、Ｓ１６の各監視を継続する。
【００３１】
Ｓ２０では、コントローラ７０は、沸き上げ運転を終了するとともに、除霜運転を開始する。具体的には、コントローラ７０は、圧縮機３４を作動させた状態で、除霜弁５２を開くとともに、ファンモータ５６及び循環ポンプ６０を停止させる。なお、コントローラ７０は、除霜弁５２を開いた後に、膨張弁３８を閉じる。これにより、圧縮機３４、凝縮器３６、除霜経路５０、蒸発器３２の順に冷媒が循環する。除霜運転では、冷媒は膨張弁３８を経由しない。圧縮機３４から流出する高温の冷媒は、凝縮器３６及び除霜経路５０を順に経由し、蒸発器３２に流入する。これにより、蒸発器３２の温度を上昇させて、蒸発器３２に付着した霜を融解させる。除霜運転を継続することで、蒸発器３２に付着した霜が除去される。Ｓ２０で除霜運転が開始されると、コントローラ７０は、Ｓ２４の監視を実行する。
【００３２】
Ｓ１６では、コントローラ７０は、蒸発器３２の温度が所定の基準温度Ｔｈ以下になることを監視する。具体的には、Ｓ１６では、コントローラ７０は、蒸発器温度センサ５７の検出温度が所定の基準温度Ｔｈ以下になることを監視する。所定の基準温度Ｔｈは、蒸発器３２の温度がその温度以下になる場合、蒸発器３２の外側に霜が付着する可能性が高くなる温度であり、例えば−５℃に設定されている。蒸発器温度センサ５７の検出温度が所定の基準温度Ｔｈ以下である場合、コントローラ７０は、Ｓ１６でＹＥＳと判断し、Ｓ２２に進む。一方、Ｓ１６でＮＯの場合には、Ｓ１４、Ｓ１６の各監視を継続する。
【００３３】
Ｓ２２では、コントローラ７０は、沸き上げ運転を中断し、除霜運転を開始する。Ｓ２２でコントローラ７０が実行する具体的な処理は、Ｓ２０と同様であるため、詳しい説明を省略する。ただし、Ｓ２２では、コントローラ７０は、沸き上げ運転が中断されたことを示す情報を記憶する。Ｓ２２で除霜運転が開始されると、コントローラ７０は、Ｓ２４の監視を実行する。
【００３４】
Ｓ２４では、コントローラ７０は、Ｓ２０又はＳ２２で除霜運転が開始されてから、所定の除霜時間が経過することを監視する。所定の除霜時間は、蒸発器３２に付着した霜が十分に除去されるために必要な時間であり、例えば１５分に設定されている。Ｓ２０又はＳ２２で除霜運転が開始されてから所定の除霜時間が経過する場合、コントローラ７０は、Ｓ２４でＹＥＳと判断し、Ｓ２６に進む。一方、Ｓ２４でＮＯの場合にはＳ２４の監視を継続する。
【００３５】
Ｓ２６では、コントローラ７０は、沸き上げが終了しているか否かを判断する。具体的には、Ｓ２６では、コントローラ７０は、沸き上げ運転が中断されたことを示す情報（Ｓ２２参照）を記憶しているか否かを判断する。上記の通り、Ｓ２０で沸き上げ運転を終了して除霜運転を開始していた場合には、コントローラ７０は、沸き上げ運転が中断されたことを示す情報を記憶していない。その場合、コントローラ７０は、Ｓ２６でＹＥＳと判断し、Ｓ２８に進む。
【００３６】
Ｓ２８では、コントローラ７０は、除霜運転を終了する。具体的には、Ｓ２８では、コントローラ７０は、圧縮機３４を停止させる。Ｓ２８を終えると、コントローラ７０は、Ｓ１０に戻り、再び沸き上げ開始タイミングが到来することを監視する。
【００３７】
一方、Ｓ２２で沸き上げ運転を中断して除霜運転を開始していた場合には、コントローラ７０は、沸き上げ運転が中断されたことを示す情報を記憶している。その場合、コントローラ７０は、Ｓ２６でＮＯと判断し、Ｓ１２に戻る。戻った先のＳ１２では、コントローラ７０は、除霜運転を終了するとともに、中断していた沸き上げ運転を再開する。具体的には、コントローラ７０は、閉じられていた膨張弁３８を開き、圧縮機３４を作動させた状態で、開かれていた除霜弁５２を閉じる。さらに、コントローラ７０は、ファンモータ５６及び循環ポンプ６０を作動させる。これにより、ヒートポンプ３０の運転内容が、除霜運転から沸き上げ運転に切り替わる。これにより、圧縮機３４、凝縮器３６、膨張弁３８、蒸発器３２の順に冷媒が再び循環し、貯湯タンク１８内に温水が貯められる。Ｓ１２で沸き上げ運転を再開させた後の各処理の内容は上記と同様である。
【００３８】
以上、本実施例の給湯装置１０の構成、及び、コントローラ７０が実行する各処理の内容について説明した。上記の通り、本実施例のヒートポンプ３０は、図２のＳ２０、Ｓ２２に示すように、沸き上げ運転から除霜運転に切り替える際に、圧縮機３４を運転させた状態で、除霜弁５２を開く。そのため、沸き上げ運転から除霜運転に切り替える際に、圧縮機３４を一度停止して再起動させる必要がない。そのため、沸き上げ運転から除霜運転に切り替える際に冷媒温度が低下することを抑制することができる。また、圧縮機３４の再起動時に必要な電力消費を抑制することもできる。
【００３９】
また、本実施例のヒートポンプ３０は、沸き上げ運転の終了（又は中断）時点（Ｓ２０又はＳ２２）では、凝縮器３６から膨張弁３８に至る冷媒経路の区間４６、及び、凝縮器３６内が、沸き上げ運転中に流れていた高温の冷媒によって高温に保たれている。本実施例のヒートポンプ３０は、Ｓ２０又はＳ２２において沸き上げ運転から除霜運転に切り替えられると、圧縮機３４から流出した冷媒は、凝縮器３６及び除霜経路５０を経由して蒸発器３２に流入する。圧縮機３４から流出させた高温の冷媒を、沸き上げ運転中に温められていた経路を経由して蒸発器３２に流入させることができる。そのため、除霜運転時に圧縮機から流出された冷媒を、圧縮機から凝縮器に至る冷媒経路の区間と膨張弁から蒸発器に至る冷媒経路の区間とを接続するバイパス路を経由して蒸発器に供給する従来の構成と比べて、除霜運転の開始後に冷媒の温度が低下することを抑制することができる。除霜運転の開始直後から、比較的高温の冷媒を蒸発器３２に流入させて除霜を行うことができるため、従来よりも効率的に除霜を行うことができる。
【００４０】
また、本実施例のヒートポンプ３０は、Ｓ２６でＮＯと判断された後のＳ１２において、除霜運転から沸き上げ運転に切り替える際に、膨張弁３８が開かれ、圧縮機３４を運転させた状態で、開かれていた除霜弁５２を閉じる。万が一、膨張弁３８を閉じたまま除霜弁５２を閉じてしまうと、冷媒経路を循環する冷媒の圧力が急上昇してしまうおそれがある。本実施例のヒートポンプ３０では、膨張弁３８を開いておいた上で、除霜弁５２を閉じることができるため、除霜運転から沸き上げ運転に切り替える際において、冷媒経路を循環する冷媒の圧力が急激に上昇することを抑制することができる。そのため、この場合も、除霜運転から沸き上げ運転に切り替える際に圧縮機３４を一度停止して再起動させる必要もなく、除霜運転から沸き上げ運転に切り替える際に冷媒温度が低下することを抑制することができる。また、圧縮機３４の再起動時に必要な電力消費を抑制することもできる。
【００４１】
また、本実施例のヒートポンプ３０では、沸き上げ運転が終了すると、引き続き除霜運転が実行される（Ｓ２０）。そのため、沸き上げ運転の終了後に毎回除霜運転を行うことができる。そのため、次回の加熱運転を行う場合、除霜済みの蒸発器３２を用いて効率の良い加熱運転を行うことができる。加熱運転を毎回効率良く行うことができる。
【００４２】
本実施例と請求項の記載の対応関係を説明しておく。ヒートポンプ３０が「ヒートポンプ装置」の一例である。貯湯タンク１８内の水が「被加熱流体」の一例である。沸き上げ運転が「加熱運転」の一例である。貯湯タンク１８が設定温度の温水で満たされる状態（いわゆる満蓄状態）になる場合が、「所定の加熱運転の終了条件を満たす場合」の一例である。
【００４３】
以上、実施例について詳細に説明したが、これらは例示に過ぎず、特許請求の範囲を限定するものではない。特許請求の範囲に記載の技術には、以上に例示した具体例を様々に変形、変更したものが含まれる。例えば、以下の各実施例が含まれる。
【００４４】
（変形例１）  上記の実施例では、コントローラ７０は、沸き上げ運転が終了すると、引き続き除霜運転を実行する（Ｓ２０）。これに代えて、コントローラ７０は、沸き上げ運転が終了する場合に、蒸発器３２の温度が所定の基準温度Ｔｈ（例えば、−５℃）以下である場合に、除霜運転を実行するようにしてもよい。この変形例によると、ヒートポンプ３０は、沸き上げ運転が終了した時点で、蒸発器３２が、除霜運転が不要な状態である場合に、除霜運転を省略することができる。除霜運転を無駄に行うことを抑制することができる。また、他の例では、コントローラ７０は、沸き上げ運転が終了する場合に、蒸発器３２の温度が所定の基準温度Ｔｈ（例えば、−５℃）以下であり、かつ、外気温が所定の基準外気温（例えば、６℃）以下である場合に、除霜運転を実行するようにしてもよい。
【００４５】
（変形例２）  上記の実施例では、コントローラ７０は、Ｓ１２で沸き上げ運転が開始された後、沸き上げが終了する前に、蒸発器３２の温度が所定の基準温度Ｔｈ（例えば、−５℃）以下になる場合（Ｓ１６でＹＥＳ）に、沸き上げ運転を中断して除霜運転を開始する（Ｓ２２）。これに代えて、コントローラ７０は、Ｓ１２で沸き上げ運転が開始された後、沸き上げが終了する前に、蒸発器３２の温度が所定の基準温度Ｔｈ（例えば、−５℃）以下であり、かつ、外気温が所定の基準外気温（例えば、６℃）以下である場合に、沸き上げ運転を中断して除霜運転を開始するようにしてもよい。
【００４６】
（変形例３）  また、コントローラ７０は、Ｓ１２で沸き上げ運転が開始された後、沸き上げが終了する前に、所定時間（例えば、６０分）継続して沸き上げ運転が行われる場合に、沸き上げ運転を中断して除霜運転を開始するようにしてもよい。例えば、沸き上げ運転を開始してから６０分以上継続して沸き上げ運転が行われると、蒸発器３２の外側に霜が付着する可能性が高くなる。この変形例による場合も、適切に除霜運転を実行することができる。
【００４７】
（変形例４）  また、コントローラ７０は、Ｓ１２で沸き上げ運転が開始された後、沸き上げが終了する前に、蒸発器３２の温度が所定の基準温度Ｔｈ（例えば、−５℃）以下になることと、外気温が所定の基準外気温（例えば、６℃）以下になることと、沸き上げ運転の開始後所定時間（例えば、６０分）継続して沸き上げ運転が行われたことと、のうちの少なくとも１つ以上が成立する場合に、沸き上げ運転を中断して除霜運転を開始するようにしてもよい。
【００４８】
（変形例５）  上記の実施例では、コントローラ７０は、蒸発器３２の温度を基準として、沸き上げ運転を中断して除霜運転を開始するか否かを決めている（Ｓ１６）。これに限られず、例えば、コントローラ７０は、蒸発器３２の入口側（又は出口側）の冷媒温度を基準として、沸き上げ運転を中断して除霜運転を開始するか否かを決めてもよい。
【００４９】
（変形例６）  上記の実施例では、コントローラ７０は、除霜運転を行う場合、除霜弁５２を開いた後に、膨張弁３８を閉じている。これに代えて、コントローラ７０は、除霜運転を行う場合、膨張弁３８を閉じることなく、除霜弁５２を開くようにしてもよい。この場合、冷媒経路内のごく一部の冷媒は膨張弁３８で減圧されるが、大部分の冷媒は除霜経路５０を通過する。本変形例の構成によっても、上記の実施例とほぼ同様の作用効果を発揮することができる。
【００５０】
（変形例７）  上記の実施例では、本明細書で開示する技術を実現するための給湯装置１０を例として説明した。これに限らず、本明細書で開示する技術を実現するための装置は、ヒートポンプ３０で被加熱流体を加熱可能な装置であれば、任意の装置とすることができる。例えば、暖房機能をさらに備える給湯暖房装置、又は、給湯機能を備えない暖房装置であってもよい。また、ヒートポンプ３０によって加熱される被加熱流体も、水に限らず、任意の被加熱流体（例えば、不凍液等）であってもよい。
【００５１】
本明細書または図面に説明した技術要素は、単独であるいは各種の組合せによって技術的有用性を発揮するものであり、出願時の請求項記載の組合せに限定されるものではない。また、本明細書または図面に例示した技術は、複数目的を同時に達成するものであり、そのうちの一つの目的を達成すること自体で技術的有用性を持つものである。
【符号の説明】
【００５２】
１０：給湯装置
１２：ガス熱源機
１４：出湯管
１６：給水管
１８：貯湯タンク
２０：加熱復路
２２：加熱往路
３０：ヒートポンプ
３２：蒸発器
３４：圧縮機
３６：凝縮器
３８：膨張弁
４２、４４、４６、４８：冷媒経路
５０：除霜経路
５２：除霜弁
５４：室外ファン
５６：ファンモータ
５７：蒸発器温度センサ
５８：外気温センサ
６０：循環ポンプ
７０：コントローラ
【図１】
2015021643.tif 000003
【図２】
2015021643.tif 000004